(57)【要約】      （修正有）【課題】組立性が良く、接点の接触信頼性の高い、好適な操作フィーリングのシーソー式スイッチ装置を提供する。【解決手段】互いに離間して配設された中央端子８及び固定接点７ａ、７ｂと、長手方向の略中間部が前記中央端子により支持され、該中央端子を支点として揺動すると共に、前記中央端子よりも長手方向の両端に前記固定接点と接離する可動接点６ａ、６ｂを設けた導体板６と、前記導体板の長手方向に沿って揺動可能に支持され、貫通孔２ｃを備えたホルダ２と、前記貫通孔に収容された圧縮コイルばね３と、前記圧縮コイルばねにより付勢されて、前記ホルダの揺動に伴い、前記導体板を押圧しながら移動する鋼球５と、ノブのばね押えが前記ホルダの貫通孔の一端に嵌合して、前記ホルダと一体となって揺動するノブ１を備えたシーソースイッチ。【選択図】図１
0003192675.tif 000002
【実用新案登録請求の範囲】
【請求項１】
互いに離間して配設された中央端子及び固定接点と、
長手方向の略中間部が前記中央端子により支持されており、該中央端子を支点として揺動すると共に、前記中央端子よりも長手方向の両端又は片端に前記固定接点と接離する可動接点を設けた導体板と、
前記導体板の長手方向に沿って揺動可能に支持されたホルダと、
前記ホルダの内部に収納された圧縮コイルばねと、
前記圧縮コイルばねにより付勢され、前記ホルダの揺動に伴い、前記導体板を押圧しながら移動する駆動体と、
前記ホルダと一体となって揺動するノブを備えたシーソー式スイッチ装置において、
前記ホルダには、圧縮コイルばねと駆動体が通る貫通孔を設けた事を特徴とするシーソースイッチ。
【請求項２】
ボディに揺動可能に嵌合されたノブと、
前記ノブに一体の突起を前記ホルダの貫通孔の一端に挿入して圧縮コイルばねを押え、鋼球を介して前記導体板を押圧したことを特徴とする要求項１記載のシーソースイッチ。
【考案の詳細な説明】
【技術分野】
【０００１】  本考案は、電気機器類や電子装置の電源用スイッチなどとして用いられるシーソー式スイッチ装置の構造に関する。
【背景技術】
【０００２】  シーソー式スイッチ装置は、操作体の内部に圧縮コイルばねを収納し、その先端に駆動体を設け、操作体はプッシュ操作により支軸を中心に揺動し、圧縮コイルばねにより付勢された駆動体を、一端に可動接点を設けたシーソー形の導体板（可動接片）を押圧しながら移動させることにより、シーソー形の導体板が、その中央部を支持している中央端子を支点として揺動（シーソー運動）し、可動接点と対向位置に配置した固定接点と可動接点が接離する。可動接点が固定接点に当接したとき、固定接点を設けた固定端子が中央端子とシーソー形の導体板を通じて導通し、中央端子に接続した外部の電路と固定端子に接続した外部の電路を接続する。【０００３】  上記シーソー式スイッチ装置は、電流の開閉による発熱により導体板が高温になるので、駆動体には耐熱性のある樹脂が使用されている。
また、導体板と駆動体の摺動面には、滑りを良くする為にグリースが塗布されている。【０００４】  駆動体には、熱にも強く、滑らかに摺動する鋼球が適切である。しかし、前記構造のシーソー式スイッチ装置では、鋼球を駆動体にしてスイッチを組立てる事が困難であるため、駆動体を長い円筒形にする等の工夫をして、組立て可能な構造にしている。
（例えば特許文献１、特許文献２参照）
【先行技術文献】
【特許文献】
【０００５】
【特許文献１】特開２０１１−２２２２０７号公報
【特許文献２】特開２０１１−１１３８１７号公報
【考案の概要】
【考案が解決しようとする課題】
【０００６】  従来構造では、導体板上に塗布したグリースが多いと、グリースが接点部に流れ込み接点障害を発生させるので、グリースの塗布量を厳しく管理する必要があった。また、駆動体が円筒形であるために、操作フィーリングが滑らかさに欠けるといった欠点があった。【０００７】  本考案の目的は、接点の信頼性が高く、組立性が良く、操作フィーリングの良いシーソー式スイッチ装置を提供する事にある。【０００８】  本考案によれば一方向組付けが可能であるため、従来に比べ組付性が良く、また、駆動体に鋼球を使用しても組立性を悪くすることのないスイッチ構造を提供できる。
【課題を解決するための手段】
【０００９】  互いに離間して配置された中央端子及び２個の固定接点と、長手方向の略中間部が前記中央端子により支持されており、該中央端子を支点として揺動すると共に、前記中央端子の長手方向の両側部に前記固定接点と接離する可動接点を設けた導体板と、前記導体板の長手方向に沿って揺動可能に支持されたホルダと、前記ホルダの貫通孔の内部に収納された圧縮コイルばねと、前記ホルダの貫通孔の一端には操作ノブの突起が入り込み、他端には前記圧縮コイルばねにより付勢されて、前記ホルダの揺動に伴い、前記導体板を押圧しながら移動する駆動体を備えたことを特徴とするシーソー式スイッチ装置
【考案の効果】
【００１０】  本考案によれば、組立性の良いシーソー式スイッチ装置が提供でき、駆動体に鋼球を使用することができるので、導体板上にグリースを塗布する必要がなく、接点の接触信頼性が高く、かつ好適な操作フィーリングのシーソー式スイッチ装置を提供できる。
【図面の簡単な説明】
【００１１】
【図１】本考案の実施例に係るシーソー式スイッチ装置の縦断側面図
【図２】本考案の実施例に係るシーソー式スイッチ装置の横断側面図
【図３】他の実施例に係るシーソー式スイッチ装置の横断側面図
【考案を実施するための形態】
【実施例】
【００１２】  以下、本考案の実施形態について、適宜図面を参照しながら詳細に説明する。
図１は、本考案一実施形態によるシーソー式スイッチ装置の縦断側面図、図２は図１の横断側面図である。【００１３】  インシュレータ９には固定接点７ａ、７ｂと中央端子８が固定されている。インシュレータ９は、図示してないがボデイ４の嵌合孔にスナップフィットにより固定される。導体板６には可動接点６ａ、６ｂが固着されている。この導体板６が中央端子８上に嵌合され、揺動可能に支持される。ホルダ２は、ホルダの回転軸２ａがボディの嵌合孔４ａに揺動可能に嵌合される。ホルダ２の貫通孔２ｃには鋼球５、圧縮コイルばね３が収納され、ノブのばね押さえ１ｂが圧縮コイルばね３の一端を押え込む。ノブの回転軸１ａが、ボディの嵌合孔４ｂに揺動可能に嵌合される。【００１４】  図１では、圧縮コイルばね３に押圧された鋼球５が導体板６を押圧しているので、中央端子８と固定接点７ａが、シーソー形の導体板６と可動接点６ａを通じて導通している。【００１５】  図１に示す状態でノブをＡ方向に操作すると、ホルダ２が揺動し、鋼球５が導体板６上を摺動し、それに伴い圧縮コイルばね３がさらに圧縮される。鋼球５が中央端子８上を過ぎると導体板６がシーソーして、固定接点７ａと可動接点６ａが開離すると共に、固定接点７ｂと可動接点６ｂが当接する。これにより中央端子８と固定接点７ｂが、シーソー形の導体板６と可動接点６ｂを通じて導通する。
その後、ノブをＢ方向に操作する事によって、図１に示す状態に戻すことができ、固定接点７ａと可動接点６ａ、固定接点７ｂと可動接点６ｂ、それぞれの接点の開閉を可能にする。【００１６】  本考案によれば、スイッチを一方向から組付けることが可能で、生産性の良いシーソー式スイッチ構造を提供できる。【００１７】  図３は、他の実施例に係るシーソー式スイッチ装置の横断側面図であり、ホルダの回転軸２ａをボディのＵ形状受け４ｃで受けている実施例である。
【符号の説明】
【００１８】Ａ      ノブの操作方向
Ｂ      ノブの操作方向
１      ノブ
１ａ    ノブの回転軸
１ｂ    ノブのばね押え
２      ホルダ
２ａ    ホルダの回転軸
２ｃ    貫通孔
３      圧縮コイルばね
４      ボディ
４ａ    ボディの嵌合孔
４ｂ    ボディの嵌合孔
４ｃ    ボディのＵ形状受け
５      鋼球（駆動体）
６      導体板
６ａ    可動接点
６ｂ    可動接点
７ａ    固定接点
７ｂ    固定接点
８      中央端子
９      インシュレータ
【図１】
0003192675.tif 000003
【図２】
0003192675.tif 000004
【図３】
0003192675.tif 000005